(57)【要約】      （修正有）【課題】導電端子の数量、湾折度および交錯度に係らず、導電端子の平坦度と、導電端子の端部の揃い度と、を良く確保することができ、導電端子の組付には不良品が発生しないコネクタを提供する。【解決手段】定位子２００と、絶縁本体１００と、複数の導電端子３００と、を含む端子定位機能付きコネクタにおいて、前記絶縁本体は、ベース部１１０と、舌板１２０と、を含み、前記ベース部は、フロント端面１１１と、前記フロント端面に対応するリア端面と、を有し、前記舌板は前記フロント端面から組合方向に沿って伸び出しており、前記複数の導電端子は、接触部３１０と、傾斜部３２０と、をそれぞれ有し、前記接触部が前記舌板に埋め込まれており、前記傾斜部は、前記接触部の一端から傾斜方向に沿って斜めに伸び出しており、その少なくとも一部が前記定位子に埋め込まれている。【選択図】図３
0003150777.tif 000002
【実用新案登録請求の範囲】
【請求項１】
定位子と、絶縁本体と、複数の導電端子と、を含む端子定位機能付きコネクタにおいて、前記絶縁本体は、ベース部と、舌板と、を含み、前記ベース部は、フロント端面と、前記フロント端面に対応するリア端面と、を有し、前記舌板は前記フロント端面から組合方向に沿って伸び出しており、前記複数の導電端子は、接触部と、傾斜部と、をそれぞれ有し、前記接触部が前記舌板に埋め込まれており、前記傾斜部は、前記接触部の一端から傾斜方向に沿って斜めに伸び出しており、その少なくとも一部が前記定位子に埋め込まれていることを特徴とする端子定位機能付きコネクタ。
【請求項２】
前記接触部は、前記舌板から外部に露出する接触面を有することを特徴とする請求項１に記載の端子定位機能付きコネクタ。
【請求項３】
前記傾斜部と前記接触部との開角は９０度よりも大きいことを特徴とする請求項１に記載の端子定位機能付きコネクタ。
【請求項４】
前記導電端子は、更に、前記傾斜部の一端から伸び出している取り付け部を含むことを特徴とする請求項１に記載の端子定位機能付きコネクタ。
【請求項５】
前記取り付け部と前記傾斜部との開角は９０度よりも大きいことを特徴とする請求項４に記載の端子定位機能付きコネクタ。
【請求項６】
前記複数の傾斜部は、前記傾斜方向に沿って並んで基準面を形成しており、そのうちの少なくとも一つが前記基準面から突出していることを特徴とする請求項１に記載の端子定位機能付きコネクタ。
【請求項７】
少なくとも一つの傾斜部の位置は前記基準面よりも低いことを特徴とする請求項６に記載の端子定位機能付きコネクタ。
【請求項８】
更に、前記絶縁本体の周面に組み付けられているモジュールケースと、前記モジュールケースの周面に組み付けられている遮蔽ケースと、を含むことを特徴とする請求項１に記載の端子定位機能付きコネクタ。
【考案の詳細な説明】
【技術分野】
【０００１】
本考案は、コネクタに関し、端子定位機能付きコネクタに関するものである。
【背景技術】
【０００２】
パーソナルコンピュータやテレビなどの電子製品は、ケーシングにコネクタを設けることが一般であり、コネクタにより周辺装置と通信することができる。しかし、情報技術の発展に従って、電子製品と周辺装置との間の情報伝送量が増える一方、例えば高密度マルチメディアインターフェース（ＨＤＭＩ）の最大映像伝送率が8.16（Gbit/s）であるので、導電端子数量がどんどん増加しており、且つ端子同士の電磁波による干渉もどんどん酷くなっている。
【０００３】
導電端子数量がどんどん増加しているので、導電端子の平坦度と、導電端子の端部の揃い度と、の保持も困難になり、しかし、導電端子の平坦度と、導電端子の端部の揃い度と、の確保が出来ない場合には、導電端子の組付には不良品が発生し易い。一方、端子同士の電磁波による干渉を減少するために、導電端子の中段を上下に交錯させる方法があるが、そうすると、導電端子の平坦度と、導電端子の端部の揃い度と、の保持が困難になる問題がある。また、導電端子を９０度に湾折して絶縁本体に固定する方法もあるが、情報伝送の品質が低下する虞がある。
【考案の概要】
【考案が解決しようとする課題】
【０００４】
本考案の主な目的は、導電端子の数量、湾折度および交錯度に係らず、導電端子の平坦度と、導電端子の端部の揃い度と、を良く確保することができ、導電端子の組付には不良品が発生しない端子定位機能付きコネクタを提供することにある。
【課題を解決するための手段】
【０００５】
請求項１の考案は、定位子と、絶縁本体と、複数の導電端子と、を含む端子定位機能付きコネクタにおいて、前記絶縁本体は、ベース部と、舌板と、を含み、前記ベース部は、フロント端面と、前記フロント端面に対応するリア端面と、を有し、前記舌板は前記フロント端面から組合方向に沿って伸び出しており、前記複数の導電端子は、接触部と、傾斜部と、をそれぞれ有し、前記接触部が前記舌板に埋め込まれており、前記傾斜部は、前記接触部の一端から傾斜方向に沿って斜めに伸び出しており、その少なくとも一部が前記定位子に埋め込まれていることを特徴とする端子定位機能付きコネクタとしている。
請求項２の考案は、前記接触部は、前記舌板から外部に露出する接触面を有することを特徴とする請求項１に記載の端子定位機能付きコネクタとしている。
請求項３の考案は、前記傾斜部と前記接触部との開角は９０度よりも大きいことを特徴とする請求項１に記載の端子定位機能付きコネクタとしている。
請求項４の考案は、前記導電端子は、更に、前記傾斜部の一端から伸び出している取り付け部を含むことを特徴とする請求項１に記載の端子定位機能付きコネクタとしている。
請求項５の考案は、前記取り付け部と前記傾斜部との開角は９０度よりも大きいことを特徴とする請求項４に記載の端子定位機能付きコネクタとしている。
請求項６の考案は、前記複数の傾斜部は、前記傾斜方向に沿って並んで基準面を形成しており、そのうちの少なくとも一つが前記基準面から突出していることを特徴とする請求項１に記載の端子定位機能付きコネクタとしている。
請求項７の考案は、少なくとも一つの傾斜部の位置は前記基準面よりも低いことを特徴とする請求項６に記載の端子定位機能付きコネクタとしている。
請求項８の考案は、更に、前記絶縁本体の周面に組み付けられているモジュールケースと、前記モジュールケースの周面に組み付けられている遮蔽ケースと、を含むことを特徴とする請求項１に記載の端子定位機能付きコネクタとしている。
【考案の効果】
【０００６】
本考案の端子定位機能付きコネクタによれば、導電端子の数量、湾折度および交錯度に係らず、導電端子の末端の平坦度と、導電端子の端部の揃い度と、を良く確保することができ、導電端子の組付には不良品が発生しないという効果を有する。
【図面の簡単な説明】
【０００７】
【図１】本考案に係る端子定位機能付きコネクタの斜視図である。
【図２】本考案に係る端子定位機能付きコネクタ一部の組合状態の概略図である。
【図３】本考案に係る絶縁本体、定位子及び導電端子の斜視図である。
【図４】本考案に係る端子プレート及び定位子の斜視図である。
【図５】本考案に係る導電端子別の実施例の斜視図である。
【考案を実施するための形態】
【０００８】
以下、本考案の実施の形態を図面に基づいて説明する。
まず、図１乃至図３を参照する。図１は本考案に係る端子定位機能付きコネクタの斜視図であり、図２は本考案に係る端子定位機能付きコネクタ一部の組合状態の概略図であり、図３は本考案に係る絶縁本体、定位子及び導電端子の斜視図である。本考案に係る端子定位機能付きコネクタ１０００は、絶縁本体１００と、定位子２００と、複数の導電端子３００と、モジュールケース４００と、遮蔽ケース５００と、を含む。
【０００９】
絶縁本体１００は、ベース部１１０と、舌板１２０と、を含み、ベース部１１０は、フロント端面１１１と、フロント端面１１１に対応するリア端面１１２と、を有し、フロント端面１１１とリア端面１１２とは、互いに平行しており、伸び方向Ｄ１に沿って伸びている。舌板１２０はフロント端面１１１から組合方向Ｄ２に沿って伸び出している。
【００１０】
複数の導電端子３００は、接触部３１０と、傾斜部３２０と、取り付け部３３０と、をそれぞれ有する。接触部３１０は、舌板１２０に埋め込まれており、舌板１２０から外部に露出する接触面３１１を有する。本実施例では、導電端子３００は、更に、接触部３１０ａを有し、接触部３１０ａの接触面３１１ａが舌板１２０の底面から外部に露出しており、接触部３１０の接触面３１１が舌板１２０の上面から外部に露出している。接触部３１０と接触部３１０ａとは交錯に配列されてもよい。
【００１１】
傾斜部３２０は、接触部３１０の一端から傾斜方向Ｄ３に沿って斜めに伸び出しており、その少なくとも一部が定位子２００に埋め込まれている。
傾斜部３２０と接触部３１０との開角は９０度よりも大きいので、従来の９０度に湾折されたものよりも、伝送品質を良く確保することができる。且つ傾斜部３２０と接触部３１０との開角は、仕様によって必要の角度に湾折されてもよく、本実施例では、その湾折角度に合せるために、絶縁本体１００のリア端面１１２を変更してもよく、そうすると、定位子２００又は接触部３１０は絶縁本体１００に適当に接触することができ、これにより、生産コストを低減することができ、且つ導電端子が湾折されても、導電端子の平坦度と、導電端子の端部の揃い度と、を良く確保することができ、導電端子の組付には不良品が発生しない。
【００１２】
取り付け部３３０は傾斜部３２０の一端から伸び出しており、取り付け部３３０と傾斜部３２０との開角は９０度よりも大きいので、従来の９０度に湾折されたものよりも、伝送品質を良く確保することができる。
【００１３】
モジュールケース４００は、絶縁本体１００の周面に組み付けられており、絶縁材料で作製されたものであり、相違する遮蔽ケース５００に対応して作製されてもよい。遮蔽ケース５００は、モジュールケース４００の周面に組み付けられており、金属シートをプレス加工によって湾折されたものである。遮蔽ケース５００は、フロント開口５１０と、フロント開口５１０に対応するリア開口５２０と、を有する。遮蔽ケース５００と、絶縁本体１００のベース部１１０と、舌板１２０と、からコネクタを挿入可能の挿入空間５３０が形成される。
【００１４】
次に、本考案の組付作業を説明する。本考案の組付作業は、一体に結合された、導電端子３００と、定位子２００と、絶縁本体１００と、が舌板１２０を前端として組合方向Ｄ２に沿ってリア開口５２０から挿入すると、組付作業が完成した。本考案の組付作業は、極めて快速で容易であり、生産時間を低減することができる。
【００１５】
また、導電端子３００の接触部３１０が舌板１２０に埋め込まれており、傾斜部３２０が定位子２００に埋め込まれており、これにより、導電端子３００の平坦度と、導電端子３００の端部の揃い度と、を良く確保することができ、ひいては絶縁本体１００への導電端子３００の組付には不良品が発生しなくなる。
【００１６】
次に、図４を参照する。図４は本考案に係る端子プレート６００及び定位子２００の斜視図である。本考案に係る導電端子３００ａは端子プレート６００をプレス加工によって湾折されたものであり、端子プレート６００は、これらの導電端子３００ａと、その両端に設けられた連接プレート６１０、６２０と、を含む。導電端子３００に定位子２００及び/又は絶縁本体１００を埋め込んで、傾斜部３２０と取り付け部３３０とを必要の角度に湾折して、連接プレート６１０、６２０をカットすると、導電端子３００の平坦度と、導電端子３００の端部の揃い度と、を良く確保することができる。
【００１７】
次に、図５を参照する。図５は本考案に係る導電端子３００別の実施例の斜視図である。複数の傾斜部３２０は傾斜方向Ｄ３に沿って排列されて基準面Ｓ１を形成しており、傾斜部３２０のうちの少なくとも一つ（傾斜部３２０ａ）が基準面Ｓ１から突出しており、傾斜部３２０のうちの少なくとも一つ（傾斜部３２０ｂ）の位置が基準面Ｓ１よりも低い。
【００１８】
プレス加工によって湾折された傾斜部３２０ａ、３２０ｂには残留応力が発生するので、取り付け部３３０が不揃いになる。取り付け部３３０の揃い度になる。傾斜部３２０ａ、３２０ｂをプレス加工する前に、導電端子３００に定位子２００を埋め込むことにより、取り付け部３３０の平坦度と、取り付け部３３０の端部の揃い度と、を良く確保することができる。
【００１９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００２０】
１０００  端子定位機能付きコネクタ
１００  絶縁本体
１１０  ベース部
１１１  フロント端面
１１２  リア端面
１２０  舌板
２００  定位子
３００、３００ａ  導電端子
３１０、３１０ａ  接触部
３１１、３１１ａ  接触面
３２０、３２０ａ、３２０ｂ  傾斜部
３３０  取り付け部
４００  モジュールケース
５００  遮蔽ケース
５１０  フロント開口
５２０  リア開口
５３０  挿入空間
６００  端子プレート
６１０、６２０  連接プレート
Ｄ１  伸び方向
Ｄ２  組合方向
Ｄ３  傾斜方向
Ｓ１  基準面
【図１】
0003150777.tif 000003
【図２】
0003150777.tif 000004
【図３】
0003150777.tif 000005
【図４】
0003150777.tif 000006
【図５】
0003150777.tif 000007
【手続補正書】
【提出日】平成21年3月26日(2009.3.26)
【手続補正１】
【補正対象書類名】明細書
【補正対象項目名】０００２
【補正方法】変更
【補正の内容】
【０００２】
パーソナルコンピュータやテレビなどの電子製品は、ケーシングにコネクタを設けることが一般であり、コネクタにより周辺装置と通信することができる。しかし、情報技術の発展に従って、電子製品と周辺装置との間の情報伝送量が増える一方、例えば高密度マルチメディアインターフェース（ＨＤＭＩ（登録商標））の最大映像伝送率が8.16（Gbit/s）であるので、導電端子数量がどんどん増加しており、且つ端子同士の電磁波による干渉もどんどん酷くなっている。